(57)【要約】【課題】吸収性物品がコンパクトに折り畳まれ、吸収性物品の使用の際には、吸収性物品の縦方向や横方向を容易に認識できるように吸収性物品が包装された男性用失禁パッド包装体を提供する。【解決手段】縦方向ｙと横方向ｘを有する吸収性物品１が被覆シート１２で包まれた吸収性物品包装体１１であって、吸収性物品包装体１１は、被覆シート１２を吸収性物品１の外面側に重ねた状態で、被覆シート１２と吸収性物品１とを縦方向ｙに延びる第１折り目Ｆで折り返し、さらに横方向ｘに延びる第２折り目Ｓで折り返され、被覆シート１２が、吸収性物品１を包んだ状態で縦方向ｙに分離可能に形成されている。【選択図】図４
2013158453.tif 000002
【特許請求の範囲】
【請求項１】
縦方向と横方向を有する吸収性物品が被覆シートで包まれた吸収性物品包装体であって、
前記吸収性物品包装体は、前記被覆シートを前記吸収性物品の外面側に重ねた状態で、前記被覆シートと前記吸収性物品とが縦方向に延びる第１折り目で折り返され、さらに横方向に延びる第２折り目で折り返され、
前記被覆シートは、前記吸収性物品を包んだ状態で、縦方向に分離可能に形成されていることを特徴とする吸収性物品包装体。
【請求項２】
前記被覆シートに切断可能線が形成されることにより、前記被覆シートが縦方向に分離可能に形成されている請求項１に記載の吸収性物品包装体。
【請求項３】
前記被覆シートは、前記吸収性物品を包んだ状態で、前記第１折り目により形成される第１端縁と、前記第２折り目により形成される第２端縁と、前記第１端縁と前記横方向に対して反対側にある第３端縁と、前記第２端縁と前記縦方向に対して反対側にある第４端縁を有し、
前記切断可能線は、前記第１端縁から前記第２または第３端縁にかけて延びている請求項１または２に記載の吸収性物品包装体。
【請求項４】
前記被覆シートは、前記第１折り目の一方側であって前記第２折り目の一方側を第１部分とし、前記第１折り目の一方側であって前記第２折り目の他方側を第２部分とし、前記第１折り目の他方側であって前記第２折り目の一方側を第３部分とし、前記第１折り目の他方側であって前記第２折り目の他方側を第４部分としたとき、前記切断可能線が、前記被覆シートの前記第１部分から前記第３部分に延びて形成されるとともに、前記被覆シートの前記第２部分から前記第４部分に延びて形成されている請求項１〜３のいずれか一項に記載の吸収性物品包装体。
【請求項５】
前記吸収性物品は、アウター部材を有する男性用失禁パッドであり、
前記アウター部材は、縦方向の端縁近傍が前記第１折り目の両側で接合されている請求項１〜４のいずれか一項に記載の吸収性物品包装体。
【請求項６】
前記アウター部材は、縦方向の端縁に前記第１折り目を跨いで切欠きが形成されている請求項５に記載の吸収性物品包装体。
【請求項７】
前記吸収性物品は、アウター部材と、前記アウター部材の肌面側に設けられた吸収体を有する男性用失禁パッドであり、
前記男性用失禁パッドは、前記吸収体が内側になるように前記第１折り目で折り返され、
前記アウター部材および／または前記吸収体は、縦方向の端縁近傍が前記第１折り目の両側で接合されている請求項１〜４のいずれか一項に記載の吸収性物品包装体。
【請求項８】
前記アウター部材および／または前記吸収体は、縦方向の端縁に前記第１折り目を跨いで切欠きが形成されている請求項７に記載の吸収性物品包装体。
【発明の詳細な説明】
【技術分野】
【０００１】
本発明は、軽失禁パッドや生理用ナプキンや男性用失禁パッド等の吸収性物品が被覆シートに包まれた吸収性物品包装体に関するものである。
【背景技術】
【０００２】
従来、吸収性物品が被覆シートに包まれた吸収性物品包装体が知られている。吸収性物品包装体では一般に、コンパクトに形成するために、吸収性物品が折り畳まれて被覆シートに包まれている。例えば、特許文献１〜３には、吸収性物品が一方向に折り畳まれて被覆シートに包まれた吸収性物品包装体が開示されている。
【先行技術文献】
【特許文献】
【０００３】
【特許文献１】特開平８−３２２８８２号公報
【特許文献２】国際公開第２００５／０５５９０１号
【特許文献３】特開２０１０−１７２６５０号公報
【発明の概要】
【発明が解決しようとする課題】
【０００４】
吸収性物品はパンツ（下着）の肌面側に取り付けて用いたり、股間に当てて用いられるが、吸収性物品は着用者の股間の前後方向や左右方向に正しく合わせて装着することが望まれる。また、吸収性物品包装体では、吸収性物品をコンパクトに折り畳むことが求められている。
【０００５】
本発明は前記事情に鑑みてなされたものであり、その目的は、吸収性物品がコンパクトに折り畳まれ、吸収性物品を使用する際には、吸収性物品の縦方向や横方向を容易に認識できる吸収性物品包装体を提供することにある。
【課題を解決するための手段】
【０００６】
前記課題を解決することができた本発明の吸収性物品包装体とは、縦方向と横方向を有する吸収性物品が被覆シートで包まれた吸収性物品包装体であって、吸収性物品包装体は、被覆シートを吸収性物品の外面側に重ねた状態で、被覆シートと吸収性物品とが縦方向に延びる第１折り目で折り返され、さらに横方向に延びる第２折り目で折り返され、被覆シートが、吸収性物品を包んだ状態で縦方向に分離可能に形成されているところに特徴を有する。
【０００７】
本発明の吸収性物品包装体は、吸収性物品が縦方向と横方向にそれぞれ折り返されて４つ折りされているため、吸収性物品が被覆シートで包まれた吸収性物品包装体がコンパクトになる。また、被覆シートを縦方向に分離することにより、被覆シートから吸収性物品を簡単に取り出すことができる。さらに、吸収性物品が縦方向に延びる第１折り目と横方向に延びる第２折り目で折り返されるため、吸収性物品を被覆シートから取り出してパンツに取り付けたり、股間に装着する際に、吸収性物品の第１折り目と第２折り目の跡を目印にして、吸収性物品を所望の位置に好適に取り付けたり装着することができる。特に、第１折り目と第２折り目の跡は視覚のみならず手で触ることによっても認識できるため、視力の弱い人でも第１折り目と第２折り目を容易に認識でき、吸収性物品の取り付けや装着が容易になる。
【０００８】
吸収性物品包装体は、被覆シートに切断可能線が形成されることにより、被覆シートが縦方向に分離可能に形成されていることが好ましい。被覆シートに切断可能線を設けることにより、被覆シートを縦方向に容易に分離することができる。
【０００９】
被覆シートは、吸収性物品を包んだ状態で、第１折り目により形成される第１端縁と、第２折り目により形成される第２端縁と、第１端縁と横方向に対して反対側にある第３端縁と、第２端縁と縦方向に対して反対側にある第４端縁を有し、切断可能線が、第１端縁から第２または第３端縁にかけて延びていることが好ましい。切断可能線がこのように形成されていれば、被覆シートを開封して吸収性物品を容易に取り出すことができる。
【００１０】
被覆シートは、第１折り目の一方側であって第２折り目の一方側を第１部分とし、第１折り目の一方側であって第２折り目の他方側を第２部分とし、第１折り目の他方側であって第２折り目の一方側を第３部分とし、第１折り目の他方側であって第２折り目の他方側を第４部分としたとき、切断可能線が、被覆シートの第１部分から第３部分に延びて形成されるとともに、被覆シートの第２部分から第４部分に延びて形成されていることが好ましい。切断可能線がこのように形成されていれば、被覆シートを切断可能線で分離しやすくなるとともに、男性用失禁パッドを被覆シートから取り出すことが容易となる。
【００１１】
吸収性物品がアウター部材を有する男性用失禁パッドである場合、アウター部材は、縦方向の端縁近傍が第１折り目の両側で接合されていることが好ましい。このようにアウター部材が形成されていれば、吸収性物品を第１折り目と第２折り目で展開した際、アウター部材の肌面側の表面がカップ状に形成されて、男性器へのフィット性が高まる。またこの場合、アウター部材は、縦方向の端縁に第１折り目を跨いで切欠きが形成されていることが好ましい。第１折り目を跨いで切欠きが形成されていれば、アウター部材の肌面側と外面側の両方の表面をカップ状に形成しやすくなる。従って、吸収性物品の男性器へのフィット性が高まるとともに、吸収性物品をパンツに取り付けても嵩張りにくくなる。
【００１２】
吸収性物品が、アウター部材と、アウター部材の肌面側に設けられた吸収体を有する男性用失禁パッドである場合、男性用失禁パッドは、吸収体が内側になるように第１折り目で折り返され、アウター部材および／または吸収体は、縦方向の端縁近傍が第１折り目の両側で接合されていることが好ましい。このようにアウター部材および／または吸収体が形成されていれば、吸収性物品を第１折り目と第２折り目で展開した際、アウター部材および／または吸収体の肌面側の表面がカップ状に形成されて、吸収性物品の男性器へのフィット性が高まる。またこの場合、アウター部材および／または吸収体は、縦方向の端縁に第１折り目を跨いで切欠きが形成されていることが好ましい。このようにアウター部材および／または吸収体に切欠きが形成されていれば、第１折り目を利用してアウター部材および／または吸収体の肌面側と外面側の両方の表面をカップ状に形成しやすくなり、吸収性物品の男性器へのフィット性が高まる。
【発明の効果】
【００１３】
本発明の吸収性物品包装体は、吸収性物品が縦方向と横方向にそれぞれ折り返されて４つ折りされているため、吸収性物品が被覆シートで包まれた吸収性物品包装体がコンパクトになる。また、被覆シートを縦方向に分離することにより、被覆シートから吸収性物品を簡単に取り出すことができる。さらに、吸収性物品が縦方向に延びる第１折り目と横方向に延びる第２折り目で折り返されるため、吸収性物品を被覆シートから取り出してパンツに取り付けたり、股間に装着する際に、吸収性物品の第１折り目と第２折り目の跡を目印にして、吸収性物品を所望の位置に好適に取り付けたり装着することができる。
【図面の簡単な説明】
【００１４】
【図１】第１実施態様の吸収性物品包装体に用いられる吸収性物品を肌面側から見た平面図を表す。
【図２】図１に示した吸収性物品を外面側から見た平面図を表す。
【図３】図１に示した吸収性物品のＡ−Ａ断面図を表す。
【図４】第１実施態様の吸収性物品包装体の形成方法を表す。
【図５】第２実施態様の吸収性物品包装体に用いられる吸収性物品を肌面側から見た平面図を表す。
【図６】図５に示した吸収性物品を外面側から見た平面図を表す。
【図７】図５に示した吸収性物品のＢ−Ｂ断面図を表す。
【図８】第２実施態様の吸収性物品包装体の形成方法を表す。
【図９】第３実施態様の吸収性物品包装体に用いられる吸収性物品を肌面側から見た平面図を表す。
【図１０】第３実施態様の吸収性物品包装体の形成方法を表す。
【図１１】第４実施態様の吸収性物品包装体に用いられる吸収性物品を外面側から見た平面図を表す。
【図１２】図１１に示した吸収性物品を肌面側から見た平面図を表す。
【図１３】図１１に示した吸収性物品のＣ−Ｃ断面図を表す。
【図１４】図１１に示した吸収性物品をカップ状に形成して外面側から見た斜視図を表す。
【図１５】第４実施態様の吸収性物品包装体の形成方法を表す。
【発明を実施するための形態】
【００１５】
本発明の吸収性物品包装体は吸収性物品が被覆シートで包まれたものであり、詳細には、被覆シートを吸収性物品の外面側に重ねた状態で、被覆シートと吸収性物品とを縦方向に延びる第１折り目で折り返し、さらに横方向に延びる第２折り目で折り返すことにより、吸収性物品が被覆シートで包まれて吸収性物品包装体が形成されるものである。つまり、本発明の吸収性物品包装体は、吸収性物品が４つ折りされて、被覆シートに包まれるものである。
【００１６】
本発明で用いられる吸収性物品についてまず説明する。本発明で用いられる吸収性物品は、着用者の股間に当てて用いるものであり、尿等の体液を受けることができるものであれば特に限定されない。なお、本発明の吸収性物品包装体は、吸収性物品が縦方向と横方向に折り返されて４つ折りされることから、４つ折りされた状態で携帯に便利な大きさとなる吸収性物品として、パンツの肌面側に取り付けて用いられるような吸収性物品であることが好ましく、具体的には、軽失禁パッド、生理用ナプキン、男性用失禁パッド等に好適に適用される。
【００１７】
本発明において、縦方向と横方向のうち一方は、吸収性物品を着用の際に着用者の股間の前後方向に延びる方向に相当し、他方は、着用者の左右方向に延びる方向に相当する。吸収性物品は、縦方向の長さが横方向の長さより長くてもよく、短くてもよく、同じ長さでもよい。本発明において、肌面側とは、吸収性物品を着用する際に着用者の肌に向く側を意味し、外面側とは、着用者とは反対に向く側を意味する。
【００１８】
吸収性物品の形状は特に限定されない。吸収性物品が、例えば軽失禁パッドや生理用ナプキンである場合、吸収性物品の形状としては、略長方形、長円形、砂時計型、ひょうたん型等が示される。吸収性物品が男性用失禁パッドである場合、使用時にカップ形状に形成されることが好ましい。なお男性用失禁パッドの使用前、すなわち吸収性物品包装体では、男性用失禁パッドは平面状に折り畳まれている。
【００１９】
吸収性物品は、例えば、液透過性のトップシートと液不透過性のバックシートとの間に吸収性コアが配されて形成される。なお、トップシートは肌面側に位置するシートであり、バックシートは外面側に位置するシートである。
【００２０】
トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルムを用いてもよい。
【００２１】
バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００２２】
トップシートやバックシートとして不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００２３】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布シート等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等との親和性を高めるために、界面活性剤等により親水化処理がされていてもよい。吸収性材料は、例えば、親水性繊維の集合体に吸水性樹脂を混合または散布したものを用いることが好ましい。
【００２４】
また吸収性コアとして、不織布間に吸水性樹脂を有しパルプ繊維を有しないシート状吸収体を用いてもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。シート状吸収体に用いられる不織布は液透過性であり、トップシートに使用可能な不織布を用いればよい。シート状吸収体に用いられる不織布としては、比較的薄くて柔軟性の高い不織布が好ましく、例えば、スパンボンド不織布、ポイントボンド不織布、メルトブロー不織布、エアレイド不織布、またはＳＭＳ不織布を用いることが好ましい。
【００２５】
吸収性物品が男性用失禁パッドである場合、男性用失禁パッドは、上記に説明したようにトップシートとバックシートとの間に吸収性コアが配されて構成されていてもよく、また、少なくとも液不透過層を有するアウター部材から構成されていてもよい。アウター部材は、液不透過層のみを有していてもよく、肌面側に親水性層を有し外面側に液不透過層を有する積層体であってもよい。アウター部材が親水性層を有していれば、親水性層によって着用者から排泄された尿が吸収されるようになる。また、男性用失禁パッドは、アウター部材の肌面側に尿を吸収するための吸収体が設けられることも好ましい。
【００２６】
アウター部材の親水性層としては、トップシートに使用可能な材料を用いることができる。アウター部材の親水性層はまた、ケミカルボンド不織布、エアレイド不織布、エアスルー不織布、スパンレース不織布等の液保持性の高い不織布から構成されていてもよい。アウター部材の液不透過層としては、バックシートに使用可能な材料を用いればよい。
【００２７】
吸収体は、上記説明した吸収性コアに使用可能な材料を用いて形成してもよく、（ｉ）吸収性材料をシート部材で覆ったもの、（ｉｉ）シート状の吸収性材料を所望形状に形成したもの、等を用いることができる。前記（ｉ）の場合、吸収体の少なくとも肌面側に設けられるシート部材は液透過性であることが好ましい。吸収体の外面側に設けられるシート部材は、液透過性であってもよく、液不透過性であってもよい。吸収体に用いられる吸収性材料としては、吸収性コアに使用可能な吸収性材料を用いてもよく、発泡ポリマー；ケミカルボンド不織布、エアレイド不織布、エアスルー不織布、スパンレース不織布等の液保持性の高い不織布等を用いてもよい。
【００２８】
吸収性物品の外面側には粘着部が設けられてもよい。粘着部は、例えば、バックシートの外面側やアウター部材の外面側に設けられる。なお粘着部は、吸収性物品を包む被覆シートと剥離可能に形成される。吸収性物品の外面側に粘着部が設けられれば、粘着部を利用して吸収性物品をパンツの肌面側に固定することができるようになる。粘着部は、粘着剤が塗布されたり、粘着テープが貼り付けられることにより形成されればよい。
【００２９】
本発明では、吸収性物品が被覆シートに包まれて、吸収性物品包装体が形成される。被覆シートは、吸収性物品を個別に（１つずつ）包装し、例えば、プラスチックフィルムや紙、布（不織布、織布、編布等）により構成される。吸収性物品に、被覆シートと剥離可能な粘着部が設けられる場合は、被覆シートの吸収性物品と面する側がプラスチックフィルムから構成されることが好ましい。具体的には、被覆シートはプラスチックフィルムから構成される、あるいは吸収性物品と面する側がプラスチックフィルムから構成される積層体であることが好ましい。
【００３０】
本発明の吸収性物品包装体は、被覆シートを吸収性物品の外面側に重ねた状態で、被覆シートと吸収性物品とが縦方向に延びる第１折り目で折り返され、さらに横方向に延びる第２折り目で折り返すことにより形成され、被覆シートは、吸収性物品を包んだ状態で、縦方向に分離可能に形成されている。以下、本発明の吸収性物品包装体について、図面を参照しながら説明する。なお本発明は、図面に示される実施態様に限定されるものではない。
【００３１】
図１〜図４には、本発明の吸収性物品包装体の第１実施態様を示した。図１〜図４には、吸収性物品として軽失禁パッドが示されている。図１は、第１実施態様の吸収性物品包装体に用いられる吸収性物品を肌面側から見た平面図を表し、図２は図１に示した吸収性物品を外面側から見た平面図を表し、図３は図１に示した吸収性物品のＡ−Ａ断面図を表し、図４は第１実施態様の吸収性物品包装体の形成方法を表す。なお、本発明の図では、矢印ｘが横方向、矢印ｙが縦方向を表し、矢印ｘ，ｙにより形成される面に対して垂直方向が厚み方向ｚを表す。
【００３２】
図１〜図３に示した吸収性物品１は軽失禁パッドであり、吸収性物品１はトップシート２とバックシート３とこれらの間に配された吸収性コア４とを有する。吸収性物品１は長円形を有しており、縦方向ｙを着用者の股間の前後方向に合わせ、横方向ｘを着用者の左右方向に合わせて着用する。
【００３３】
トップシート２の横方向ｘの両側には縦方向ｙに延在するサイドシート５が設けられ、サイドシート５により尿等の防漏壁となるフラップ６が形成されることが好ましい（図１および図３を参照）。サイドシート５は、液不透過性のプラスチックフィルムや液不透過性の不織布等により構成され、横方向ｘの内方に起立用弾性部材７が設けられている。吸収性物品１の使用時には、起立用弾性部材７の収縮力によりサイドシート５の内方が着用者の肌に向かって立ち上がりフラップ６が形成され、これにより尿等の横漏れが防止される。
【００３４】
バックシート３の外面側には、図２に示すように、粘着部８が設けられてもよい（粘着部８はクロスハッチングで表されている）。粘着部８がバックシート３の外面側に設けられることにより、吸収性物品１をパンツの肌面側に好適に取り付けることができるようになる。なお粘着部８は、吸収性物品１の縦方向ｙの内方部分（中央部）に設けられることが好ましく、粘着部８が縦方向ｙの外方部分（端部）に設けられる場合は、横方向ｘの外方部分に設けられることが好ましい。このように粘着部８が設けられることにより、吸収性物品包装体から吸収性物品１を取り出しやすくなる。
【００３５】
吸収性物品１には、図４（ａ）〜（ｃ）に示すように、外面側に被覆シート１２が重ねられ、この状態で被覆シート１２と吸収性物品１とを縦方向ｙに延びる第１折り目Ｆで折り返し、さらに横方向ｘに延びる第２折り目Ｓで折り返すことにより、吸収性物品包装体１１が形成される。すなわち、本発明の吸収性物品包装体１１は、吸収性物品１が４つ折りされて、被覆シート１２に包まれている。
【００３６】
被覆シート１２は、第１折り目Ｆと第２折り目Ｓによって、便宜的に次のように区分されるものとする。すなわち、第１折り目Ｆの一方側であって第２折り目Ｓの一方側を第１部分１３とし、第１折り目Ｆの一方側であって第２折り目Ｓの他方側を第２部分１４とし、第１折り目Ｆの他方側であって第２折り目Ｓの一方側を第３部分１５とし、第１折り目Ｆの他方側であって第２折り目Ｓの他方側を第４部分１６とする。
【００３７】
第１折り目Ｆは、吸収性物品１の横方向ｘに対する中心線と一致することが好ましい。このように第１折り目Ｆが設けられていれば、折り畳んだ吸収性物品１がコンパクトになる。また、吸収性物品１を使用する際は、第１折り目Ｆに基づいて吸収性物品１の横方向ｘの中心を容易に認識することができ、吸収性物品１を適切に装着しやすくなる。
【００３８】
第２折り目Ｓは、吸収性物品１の縦方向ｙに対する中心線と一致することが好ましい。このように第２折り目Ｓが設けられていれば、折り畳んだ吸収性物品１がコンパクトになる。また、吸収性物品１を使用する際は、第２折り目Ｓに基づいて吸収性物品１の縦方向ｙの中心を容易に認識することができ、吸収性物品１を適切に装着しやすくなる。
【００３９】
図４（ｃ）には、吸収性物品包装体１１の平面図が示されているが、被覆シート１２は、吸収性物品１を包んだ状態で、第１折り目Ｆにより形成される端縁を第１端縁１７と規定し、第２折り目Ｓにより形成される端縁を第２端縁１８と規定し、第１端縁１７と横方向ｘに対して反対側にある端縁を第３端縁１９と規定し、第２端縁１８と縦方向ｙに対して反対側にある端縁を第４端縁２０と規定する。すなわち、被覆シート１２は、吸収性物品１を包んだ状態で、第１折り目Ｆにより形成される第１端縁１７と、第２折り目Ｓにより形成される第２端縁１８と、第１端縁１７と横方向ｘに対して反対側にある第３端縁１９と、第２端縁１８と縦方向ｙに対して反対側にある第４端縁２０を有する。なお、第１端縁１７と第２端縁１８は直線状に形成されるが、第３端縁１９と第４端縁２０は直線状であっても曲線状であってもよい。
【００４０】
吸収性物品包装体１１は、第２折り目Ｓで折り返された被覆シート１２の縦方向ｙの端部どうしが、接着剤、熱融着、超音波融着等の公知の接合手段により接合されることが好ましい。すなわち、第４端縁２０で、第２折り目Ｓで折り返された被覆シート１２の一方側と他方側とが接合されることが好ましい。一方、被覆シート１２は、第１折り目Ｆで折り返されることにより重ねられた横方向ｘの端部どうしは、接合手段によって接合されていても接合されなくてもよい。吸収性物品包装体１１では、例えば、後述するように切断可能線２１が第１端縁１７から第３端縁１９にかけて形成される場合は、被覆シート１２は第３端縁１９で接合されないことが好ましく、このように被覆シート１２が形成されることにより、被覆シート１２を縦方向ｙに分離した際に吸収性物品１を被覆シート１２から取り出すことが容易になる。
【００４１】
吸収性物品包装体１１は、図４（ｃ）に示されるように被覆シート１２が吸収性物品１を包んだ状態で、被覆シート１２が縦方向ｙに分離可能に形成されている。図４（ｃ）では、被覆シート１２に切断可能線２１が形成され、これにより被覆シート１２が縦方向ｙに分離可能に形成されている。吸収性物品包装体１１は、被覆シート１２を縦方向ｙに分離することで被覆シート１２が開封され、吸収性物品１を被覆シート１２から取り出すことができる。
【００４２】
被覆シート１２を縦方向ｙに分離可能に形成するためには、図４（ｃ）に示すように被覆シート１２に切断可能線２１を設けてもよく、２以上の被覆シート１２を互いに非接着の状態で重ね合わせることにより形成してもよい。なお、吸収性物品１の使用前に、吸収性物品１が被覆シート１２によって確実に包装され、吸収性物品包装体１１の取扱性や携帯性を高める点から、被覆シート１２に切断可能線２１を形成することにより、被覆シート１２が分離可能に形成されることが好ましい。
【００４３】
切断可能線２１は、例えば、被覆シート１２にミシン目を設けたり、被覆シート１２（熱可塑性のプラスチックフィルム製や熱可塑性繊維から構成される布製の被覆シート１２であることが好ましい）を部分的に加熱して脆弱化した部分を線状に設けたり、２以上の被覆シート１２を断続線状に互いに接着することにより形成することができる。
【００４４】
切断可能線２１は、被覆シート１２が吸収性物品１を包んだ状態で、被覆シート１２が縦方向ｙに分離可能に形成されていればよく、切断可能線２１の配され方は特に限定されない。なお、被覆シート１２を開封して吸収性物品１を容易に取り出すことができるようにするために、切断可能線２１は、第１端縁１７から第２端縁１８または第３端縁１９にかけて延びていることが好ましく、第１端縁１７から第３端縁１９にかけて延びていることがより好ましい。
【００４５】
切断可能線２１は、被覆シート１２の第１部分１３から第３部分１５に延びて形成されるとともに、被覆シート１２の第２部分１４から第４部分１６に延びて形成されていることが好ましい。このように切断可能線２１が形成されていれば、被覆シート１２を縦方向ｙに引っ張る際に、切断可能線２１を挟んだ一方側を一方の手でつまむとともに、他方側を他方の手でつまむことができ、被覆シート１２を切断可能線２１で分離しやすくなる。また、吸収性物品１を被覆シート１２から取り出すことが容易となる。
【００４６】
第１実施態様の吸収性物品１では、バックシート３に粘着部８が設けられる場合、図４（ｃ）に示すように、粘着部８は切断可能線２１から第２端縁１８の間に設けられることが好ましい。粘着部８が切断可能線２１から第４端縁２０の間に設けられる場合は、第１端縁１７の近傍には設けられないことが好ましく、例えば、第１端縁１７と吸収性物品１の横方向ｘの端縁の中間線よりも第１端縁１７側に粘着部８が設けられず、前記中間線よりも吸収性物品１の横方向ｘの端縁側に粘着部８が設けられることが好ましい。このように粘着部８が設けられれば、被覆シート１２を切断可能線２１で分離しやすくなり、また、吸収性物品１を被覆シート１２から取り出すことが容易となる。
【００４７】
以上のように、本発明の吸収性物品包装体は、吸収性物品が縦方向と横方向にそれぞれ折り返されて４つ折りされているため、吸収性物品が被覆シートで包まれた吸収性物品包装体がコンパクトになり、被覆シートを縦方向に分離することにより、被覆シートから吸収性物品を簡単に取り出すことができる。また、吸収性物品が縦方向に延びる第１折り目と横方向に延びる第２折り目で折り返されるため、吸収性物品を被覆シートから取り出してパンツに取り付けたり、股間に装着する際に、吸収性物品の第１折り目と第２折り目の跡を目印にして、吸収性物品を所望の位置に好適に取り付けたり装着することができる。特に、第１折り目と第２折り目の跡は視覚のみならず手で触ることによっても認識できるため、視力の弱い人でも第１折り目と第２折り目を容易に認識でき、吸収性物品の取り付けや装着が容易になる。
【００４８】
次に、本発明の吸収性物品包装体の第２実施態様を図５〜図８を参照して説明する。図５〜図８には、吸収性物品として生理用ナプキンが示されている。図５は、第２実施態様の吸収性物品包装体に用いられる吸収性物品を肌面側から見た平面図を表し、図６は図５に示した吸収性物品を外面側から見た平面図を表し、図７は図５に示した吸収性物品のＢ−Ｂ断面図を表し、図８は第２実施態様の吸収性物品包装体の形成方法を表す。なお下記の説明において、第１実施態様と重複する部分の説明は省略する。
【００４９】
図５〜図７に示した吸収性物品３１は生理用ナプキンであり、吸収性物品３１はトップシート３２とバックシート３３とこれらの間に配された吸収性コア３４とを有する。吸収性物品３１は、横方向ｘを着用者の股間の前後方向に合わせ、縦方向ｙを着用者の左右方向に合わせて着用する。
【００５０】
吸収性物品３１には、サイドシート３５がトップシート３２の縦方向ｙの両側に設けられ、サイドシート３５により尿等の防漏壁となるフラップ３６が形成されることが好ましい。サイドシート３５には、縦方向ｙの内方に起立用弾性部材３７が設けられており、起立用弾性部材３７の収縮力によりサイドシート３５の内方が着用者の肌に向かって立ち上がりフラップ３６が形成される。
【００５１】
吸収性物品３１は、横方向ｘの中央部が端部よりも幅広に形成され、横方向ｘの中央部に縦方向ｙの外方に延在するウィング部４０が形成されている。ウィング部４０には吸収性コアが設けられていない。ウィング部４０は、サイドシート３５が縦方向ｙの外方に延在してバックシート３３と重なることにより形成されている。
【００５２】
バックシート３３の外面側には粘着部３８が設けられることが好ましい。吸収性物品３１においても、粘着部３８は、吸収性物品３１の縦方向ｙの内方部分（中央部）に設けられることが好ましく、粘着部３８が縦方向ｙの外方部分（端部）に設ける場合は、横方向ｘの外方部分に設けられることが好ましい。さらに吸収性物品３１では、ウィング部４０の縦方向ｙの外方部分に粘着部３９が設けられることが好ましい。図面では、粘着部３８，３９がクロスハッチングで表されている。
【００５３】
図８（ａ）〜（ｃ）には、吸収性物品３１に被覆シート５２を重ねて、被覆シート５２と吸収性物品３１とを折り返すことにより吸収性物品包装体５１を形成する方法を示した。第２実施態様の吸収性物品包装体５１も、第１実施態様の吸収性物品包装体１１と同様に形成される。なお第２実施態様の吸収性物品３１は、第１実施態様の吸収性物品１とは縦方向ｙと横方向ｘが逆に規定されているが、吸収性物品３１も吸収性物品１と同様に、被覆シート５２を吸収性物品３１の外面側に重ねた状態で、被覆シート５２と吸収性物品３１とを縦方向ｙに延びる第１折り目Ｆで折り返し、さらに横方向ｘに延びる第２折り目Ｓで折り返すことにより、吸収性物品包装体５１が形成されている。
【００５４】
吸収性物品３１はウィング部４０を有しており、吸収性物品包装体５１では、吸収性物品３１のウィング部４０が折り畳まれていることが好ましい。具体的には、図６に示すように、ウィング部４０が、谷折りとなる折り目４１（谷折り４１）と山折りとなる折り目４２（山折り４２）とで折られることにより、縦方向ｙに折り畳まれていることが好ましい。谷折り４１と山折り４２はウィング部４０（バックシート３３）の外面側から見て定められるものとする。詳細には、バックシート３３が内側になるように折り目４１で折り返された後、折り目４１よりも縦方向ｙの外方でバックシート３３が外側になるように折り目４２で折り返されることにより、ウィング部４０が縦方向ｙに折り畳まれている。谷折り４１と山折り４２は、好ましくは横方向ｘに延びている。
【００５５】
ウィング部４０に粘着部３９が設けられる場合は、粘着部３９は谷折り４１と山折り４２よりも縦方向ｙの外方に設けられることが好ましい。
【００５６】
第２実施態様の吸収性物品包装体５１に設けられる切断可能線５３も、第１実施態様の吸収性物品包装体１１で説明したのと同様に設けられることが好ましい。なお、吸収性物品包装体５２では、ウィング部４０が縦方向ｙに折り畳まれ、切断可能線５３が、ウィング部４０の粘着部３９よりも縦方向ｙの内方に位置するように設けられることが好ましい。このように吸収性物品包装体５１が形成されていれば、被覆シート５２から吸収性物品３１を取り出す際、被覆シート５２を縦方向ｙに引っ張って切断可能線５３で分離することで、ウィング部４０の縦方向ｙの端部（粘着部３９）が被覆シート５２とともに縦方向ｙに引っ張られて、折り畳まれたウィング部４０が自然に展開されるようになる。従って、吸収性物品包装体５１はウィング部４０が折り畳まれてコンパクトになるとともに、被覆シート５２から取り出された吸収性物品３１はウィング部４０が展開されて、使用が容易になる。
【００５７】
図９および図１０には、本発明の吸収性物品包装体の第３実施態様を示した。図９および図１０には、吸収性物品として男性用失禁パッドが示されている。図９は、第３実施態様の吸収性物品包装体に用いられる吸収性物品を肌面側から見た平面図を表し、図１０は第３実施態様の吸収性物品包装体の形成方法を表す。なお下記の説明において、第１実施態様と重複する部分の説明は省略する。
【００５８】
図９および図１０に示した吸収性物品６１は男性用失禁パッドであり、男性用失禁パッド６１はアウター部材６２から構成されている。男性用失禁パッド６１では、アウター部材６２は、肌面側に親水性層を有し外面側に液不透過層を有する積層体である。男性用失禁パッド６１は、縦方向ｙを着用者の股間の前後方向に合わせ、横方向ｘを着用者の左右方向に合わせて着用する。
【００５９】
図１０（ａ）〜（ｃ）には、吸収性物品６１に被覆シート６６を重ねて、被覆シート６６と吸収性物品６１とを折り返すことにより吸収性物品包装体６５を形成する方法を示した。第３実施態様の吸収性物品包装体６５も、第１実施態様の吸収性物品包装体１１と同様に形成される。また、吸収性物品包装体６５に設けられる切断可能線６７も、第１実施態様の吸収性物品包装体１１で説明したのと同様に設けられることが好ましい。
【００６０】
図１０に示すように、第１折り目Ｆで折り返されたアウター部材６２は、接合部６４で、縦方向ｙの端縁近傍が第１折り目Ｆの両側で接合されることが好ましい。このようにアウター部材６２が形成されていれば、吸収性物品６１を吸収性物品包装体６５から取り出して、吸収性物品６１を第１折り目Ｆと第２折り目Ｓで展開した際、アウター部材６２の肌面側の表面がカップ状に形成されて、男性器へのフィット性を高めることができる。
【００６１】
アウター部材６２の縦方向ｙの端縁近傍が第１折り目Ｆの両側で接合される場合、アウター部材６２は肌面側で互いに接合される。また、縦方向ｙの端縁から２０ｍｍ以内の領域（好ましくは１５ｍｍ以内の領域）でアウター部材６２どうしが接合されることが好ましい。さらに、第１折り目Ｆから１５ｍｍ以内の領域（好ましくは１０ｍｍ以内の領域）でアウター部材６２どうしが接合されることが好ましい。アウター部材６２どうしの接合は、接着剤や熱融着等の接合手段により行えばよい。
【００６２】
アウター部材６２には、第１折り目Ｆを跨いで切欠き６３が形成されることが好ましい。第１折り目Ｆを跨いで切欠き６３が形成されていれば、アウター部材６２の肌面側と外面側の両方の表面をカップ状に形成しやすくなる。従って、アウター部材６２の男性器へのフィット性が高まるとともに、吸収性物品６１をパンツに取り付けても嵩張りにくくなる。切欠き６３の形状としては、略Ｖ字状に形成されていることが好ましい。すなわち、切欠き６３は、アウター部材６２の縦方向ｙの端縁から内方に向かって横方向ｘの長さが漸減するように形成されていることが好ましい。
【００６３】
図１１〜図１５には、本発明の吸収性物品包装体の第４実施態様を示した。図１１〜図１５には、吸収性物品として男性用失禁パッドが示されている。図１１は吸収性物品を外面側から見た平面図を表し、図１２は図１１に示した吸収性物品を肌面側から見た平面図を表し、図１３は図１１のＣ−Ｃ断面図を表し、図１４はカップ状に形成した吸収性物品（男性用失禁パッド）を外面側から見た斜視図を表し、図１５は第４実施態様の吸収性物品包装体の形成方法を表す。なお下記の説明において、第１実施態様と第３実施態様と重複する部分の説明は省略する。
【００６４】
図１１〜図１４に示した吸収性物品７１は男性用失禁パッドであり、吸収性物品７１は、アウター部材７２の肌面側に吸収体７８が設けられている。吸収性物品７１は、縦方向ｙを着用者の股間の前後方向に合わせ、横方向ｘを着用者の左右方向に合わせて着用する。
【００６５】
アウター部材７２は、山折り７４と谷折り７５とで折られることにより、縦方向ｙに折り畳まれている。アウター部材７２は、山折り７４と谷折り７５とで折られることによりプリーツ部７３が形成されている。山折り７４と谷折り７５はアウター部材７２の外面側から見て定められるものとする。山折り７４と谷折り７５は、好ましくは横方向ｘに延びている。なお、山折り７４と谷折り７５の配される順番は特に限定されず、山折り７４が谷折り７５よりも縦方向ｙの内方にあってもよく、外方にあってもよい。
【００６６】
吸収性物品７１は、使用前は、図１１や図１２に示すようにアウター部材７２が平面状に形成される。すなわち、アウター部材７２のプリーツ部７３が折り畳まれた状態に形成される。使用時には、吸収性物品７１は、図１４に示すようにプリーツ部７３を展開してアウター部材７２をカップ状に形成し、カップ状に形成したアウター部材７２の内側に吸収体７８を収めて用いる。
【００６７】
アウター部材７２のプリーツ部７３は、横方向ｘの両端が固定されていることが好ましい。具体的には、アウター部材７２は、横方向ｘの両端で、山折り７４を挟んだ両側および谷折り７５を挟んだ両側が接合されていることが好ましい。このようにプリーツ部７３が形成されていれば、プリーツ部７３の折り畳みを展開すると、図１４に示されるように、アウター部材７２をカップ状に形成できる。プリーツ部７３の横方向ｘの両端は、接着剤、熱融着、超音波融着等の公知の接合手段により固定（接合）されればよい。
【００６８】
アウター部材７２の外面側には粘着部７７（粘着部７７はクロスハッチングで表されている）が設けられてもよい。粘着部７７は、図１１に示すように、プリーツ部７３（すなわち、山折り７４と谷折り７５）よりも縦方向ｙの外方に設けられることが好ましい。
【００６９】
吸収性物品７１は、アウター部材７２の肌面側に吸収体７８が備えられている。吸収体７８は、アウター部材７２に固定部７６で固定されている。
【００７０】
固定部７６はプリーツ部７３以外の場所に設けられることが好ましい。従って、吸収体７８は、アウター部材７２のプリーツ部７３以外の部分に固定され、プリーツ部７３には固定されていないことが好ましい。さらに、吸収体７８は、プリーツ部７３を跨いでアウター部材７２に固定されていないことが好ましい。このように吸収体７８がアウター部材７２に固定されていれば、吸収性物品７１の着用の際、プリーツ部７３の折り畳みを展開しやすくなる。
【００７１】
固定部７６は、アウター部材７２の縦方向ｙの中心付近に設けられることが好ましい。また、アウター部材７２には、固定部７６の縦方向ｙの両側にプリーツ部７３が各々設けられていることが好ましい。このように吸収性物品７１が形成されていれば、アウター部材７２のプリーツ部７３の折り畳みを展開することにより、吸収性物品７１を、吸収体７８が内側に収められたカップ状に形成しやすくなる。
【００７２】
なお、図には示されていないが、吸収体７８は、アウター部材７２に固定されていなくてもよい。例えば、吸収性物品７１の使用前、すなわち吸収性物品７１が被覆シートで包まれた男性用失禁パッド包装体では、吸収体７８はアウター部材７２に固定されずに単に重ねられていてもよい。また、吸収体７８がアウター部材７２に対して着脱可能に形成されていてもよい。
【００７３】
吸収体７８の形状は特に限定されない。吸収体７８の形状は、例えば、円形、楕円形、多角形（角の丸まった多角形を含む）、砂時計形等が挙げられる。
【００７４】
吸収体７８には、図１２に示されるように、縦方向ｙの端縁に切欠き７９が形成されていることが好ましい。また、横方向ｘの端縁に切欠き８０が形成されていることも好ましい。吸収体７８に切欠き７９および／または切欠き８０が形成されていれば、吸収体７８をカップ状に形成しやすくなる。切欠き７９，８０の形状としては、略Ｖ字状に形成されていることが好ましい。すなわち、切欠き７９は、吸収体７８の縦方向ｙの端縁から内方に向かって横方向ｘの長さが漸減するように形成されていることが好ましい。切欠き８０は、吸収体７８の横方向ｘの端縁から内方に向かって縦方向ｙの長さが漸減するように形成されていることが好ましい。
【００７５】
図１５（ａ）〜（ｃ）には、吸収性物品７１に被覆シート９２を重ねて、被覆シート９２と吸収性物品７１とを折り返すことにより吸収性物品包装体９１を形成する方法を示した。第４実施態様の吸収性物品包装体９１も、第１実施態様の吸収性物品包装体１１と同様に形成される。なお吸収性物品包装体９１は、吸収体７８が内側になるように第１折り目Ｆで折り返される。また、吸収性物品包装体９１に設けられる切断可能線９３も、第１実施態様の吸収性物品包装体１１で説明したのと同様に設けられることが好ましい。
【００７６】
吸収性物品包装体９１は、被覆シート９２を縦方向ｙに引っ張った際にプリーツ部７３を展開しやすくするために、アウター部材７２に、プリーツ部７３よりも縦方向ｙの外方に粘着部７７が設けられ、粘着部７７が被覆シート９２と剥離可能に接合されていることが好ましい。このとき、切断可能線９３は、吸収性物品７１の粘着部７７よりも縦方向ｙの内方に位置するように設けられることが好ましい。このように吸収性物品包装体９１が形成されていれば、被覆シート９２から吸収性物品７１を取り出す際、被覆シート９２を縦方向ｙに引っ張って切断可能線９３で分離することで、吸収性物品７１のプリーツ部７３よりも縦方向ｙの外方部分（粘着部７７）が被覆シート９２とともに縦方向ｙに引っ張られて、プリーツ部７３が自然に展開されるようになる。従って、被覆シート９２から取り出された吸収性物品７１は、さらに第１折り目Ｆと第２折り目Ｓで展開することにより、吸収性物品７１を容易にカップ状に形成することができる。
【００７７】
プリーツ部７３の展開操作を容易にするために、アウター部材７２には、第２折り目Ｓの両側にプリーツ部７３が各々設けられていることが好ましい。このようにプリーツ部７３が設けられていれば、被覆シート９２を吸収性物品７１とともに縦方向ｙに引っ張った際に、吸収性物品７１の第２折り目Ｓを挟んだ両側がともに縦方向ｙに延びて、被覆シート９２を縦方向ｙに分離させながらプリーツ部７３を展開することが容易になる。
【００７８】
図１５に示されるように、吸収性物品７１を第１折り目Ｆで折り返す際は、吸収体７８が内側になるように折り返されることが好ましい。そして、第１折り目Ｆで折り返された吸収体７８は、縦方向ｙの端縁近傍が第１折り目Ｆの両側で接合されることが好ましい。図１５では、接合部８１で、吸収体７８の縦方向ｙの端縁近傍が第１折り目Ｆの両側で接合されている。このように吸収体７８が形成されていれば、吸収性物品７１を吸収性物品包装体９１から取り出して、吸収性物品７１を第１折り目Ｆと第２折り目Ｓで展開した際、吸収体７８の肌面側の表面がカップ状に形成されて、吸収体７８の男性器へのフィット性を高めることができる。
【００７９】
吸収体７８の縦方向ｙの端縁近傍が第１折り目Ｆの両側で接合される場合、吸収体７８は肌面側で互いに接合される。また、縦方向ｙの端縁から２０ｍｍ以内の領域（好ましくは１５ｍｍ以内の領域）で吸収体７８どうしが接合されることが好ましい。さらに、第１折り目Ｆから１５ｍｍ以内の領域（好ましくは１０ｍｍ以内の領域）で吸収体７８どうしが接合されることが好ましい。吸収体７８どうしの接合は、接着剤や熱融着等の接合手段により行えばよい。
【００８０】
吸収体７８の縦方向ｙの端縁に切欠き７９が形成される場合は、第１折り目Ｆを跨いで切欠き７９が形成されることが好ましい。第１折り目Ｆを跨いで切欠き７９が形成されていれば、第１折り目Ｆを利用して吸収体７８の肌面側と外面側の両方の表面をカップ状に形成しやすくなる。従って、吸収体７８の男性器へのフィット性が高まるとともに、吸収体７８がカップ状に形成されたアウター部材７２の内側に好適に収まる。
【００８１】
なお図面には示されていないが、吸収性物品が男性用失禁パッドである場合、第３実施態様に係るアウター部材６２の肌面側に、第４実施態様に係る吸収体７８が設けられてもよい。この場合、アウター部材と吸収体の両方またはどちらか一方の縦方向の端縁近傍が、第１折り目の両側で接合されていればよい。また、アウター部材と吸収体の両方またはどちらか一方の縦方向の端縁に、第１折り目を跨いで切欠きが形成されていればよい。好ましくは、少なくともアウター部材の縦方向の端縁近傍が第１折り目の両側で接合され、また、少なくともアウター部材の縦方向の端縁に第１折り目を跨いで切欠きが形成される。
【符号の説明】
【００８２】
１，３１，６１，７１：  吸収性物品
８，３８，７７：  粘着部
６３，７９，８０：  切欠き
６４，８１：  接合部
１１，５１，６５，９１：  吸収性物品包装体
１２，５２，６６，９２：  被覆シート
２１，５３，６７，９３：  切断可能線
Ｆ：  第１折り目
Ｓ：  第２折り目
【図１】
2013158453.tif 000003
【図２】
2013158453.tif 000004
【図３】
2013158453.tif 000005
【図４】
2013158453.tif 000006
【図５】
2013158453.tif 000007
【図６】
2013158453.tif 000008
【図７】
2013158453.tif 000009
【図８】
2013158453.tif 000010
【図９】
2013158453.tif 000011
【図１０】
2013158453.tif 000012
【図１１】
2013158453.tif 000013
【図１２】
2013158453.tif 000014
【図１３】
2013158453.tif 000015
【図１４】
2013158453.tif 000016
【図１５】
2013158453.tif 000017